(57)【特許請求の範囲】
【請求項１】
液剤が充填された容器の開口部に固定される基部と、
前記容器から液剤を吸い上げるポンプ機構と、
前記基部に固定され、前記ポンプ機構によって吸い上げられた液剤を吐出するノズルと、
前記ポンプ機構を作動させるレバーとを具備してなり、
前記ノズルとレバーとに指を掛けて該指によって該レバーに力を加えて該レバーを操作できるよう該ノズルと該レバーとが構成されていて、該レバーの操作により該ノズルから液剤が吐出されるようにしたことを特徴とする吐出装置。
【請求項２】
液剤が充填された容器の開口部に固定される基部と、
この基部に設けられた前記容器内につながるシリンダ、このシリンダ内を変位するピストン、及びこのピストンをシリンダ内空間が大きくなる方向に付勢する付勢手段を備えたポンプ機構と、
前記基部に固定され、前記シリンダから延びる液剤吐出用のノズルと、
このノズルの上方に位置し、かつ、前記ピストンの端部に接する前記ポンプ機構を作動させるレバーとを具備してなり、
前記ノズルとレバーとに指を掛けて該指によって該レバーに力を加えて該レバーを操作できるよう該ノズルと該レバーとが構成されていて、該レバーの操作により前記ピストンをシリンダ空間内が小さくなる方向に押圧し、前記シリンダ内に蓄えられた液剤が前記ノズルから吐出されるようにしたことを特徴とする吐出装置。
【請求項３】
レバーを押し下げられるように片方の手の親指を該レバーに掛けた場合に該片方の手の親指以外の指でノズルを握ることができるように該ノズルの上方に該レバーが位置するよう設けられていることを特徴とする請求項１又は請求項２の吐出措置。
【請求項４】
容器とポンプ機構のシリンダとの間には、前記容器側からシリンダ側へのみ通過が可能な第１の逆止弁が設けられ、かつ、前記ノズルの先端側には、内部側から外部側へのみ通過が可能な第２の逆止弁が設けられてなることを特徴とする請求項１〜請求項３いずれかの吐出装置。
【請求項５】
ピストンはカップ状のものであって、開口が上方側となるようシリンダに組み付けられてなることを特徴とする請求項２〜請求項４いずれかの吐出装置。
【請求項６】
スリットが形成された弾性材がノズル口に設けられてなることを特徴とする請求項１〜請求項５いずれかの吐出装置。
【発明の詳細な説明】
【０００１】
【発明の属する技術分野】
本発明は、例えば石鹸液などの液剤が充填された容器に取り付けられ、液剤を直接、手に吐出させる装置に関するものである。
【０００２】
【発明が解決しようとする課題】
石鹸液などの液剤を直接、手に吐出できるよう構成された装置としては、例えば図５に示される吐出装置が知られている。
図５中、２１はポンプ機構、２２はポンプ機構２１と連動するヘッド、２３はノズルである。２４は石鹸液が充填された容器の開口部に螺着する基部（ジョイント部）であり、この基部２４に一体成形された支柱２５の上端には、レバー２６が回動可能に連結されている。そして、レバー２６はヘッド２２と共に、図中、二点鎖線で示す位置まで変位できるようになっている。すなわち、レバー２６を回動させてヘッド２２を押し下げることにより、ポンプ機構２１が作動し、ノズル２３の先端から石鹸液が供給される。
【０００３】
又、図６に示す如くの吐出装置も知られている。
図６中、３１はポンプ機構、３２はポンプ機構３１と連動する平面状の台であって、手の大きさに対応した面積を有する。３３は蛇腹状のパイプ、３４は液剤が吐出するノズルあり、パイプ３３は台３２を通ってポンプ機構３１につながっている。そして、掌を上にして台３２に手を載せ、押し下げることで、ポンプ機構３１が作動し、ノズル３４から石鹸液が供給されるようになっている。
【０００４】
ところで、図５の装置では、石鹸液を受け取る際に、片手をノズル２３の下に差し出し、もう一方の手でレバー２６を押し下げねばならない。つまり、装置を両手で操作しなけれなならず、使い勝手が悪い。
これに対して、図６の装置では、片手でポンプ機構３１の操作と石鹸液の受け取りとが可能である。しかし、手の甲で台３２を押し下げるのは、人体の構造上無理のある動作であって、かなりの労力が必要となる。
【０００５】
本発明はこうした問題点に鑑みてなされたものであって、片手で液剤の吐出及び受け取りが可能であって、しかも操作が容易に行える吐出装置の提供を目的とする。
【０００６】
【課題を解決するための手段】
上記本発明の目的は、液剤が充填された容器の開口部に固定される基部と、
前記容器から液剤を吸い上げるポンプ機構と、
前記基部に固定され、前記ポンプ機構によって吸い上げられた液剤を吐出するノズルと、
前記ポンプ機構を作動させるレバーとを具備してなり、
前記ノズルとレバーとに指を掛けて該指によって該レバーに力を加えて該レバーを操作できるよう該ノズルと該レバーとが構成されていて、該レバーの操作により該ノズルから液剤が吐出されるようにしたことを特徴とする吐出装置吐出装置によって達成される。
【０００７】
特に、液剤が充填された容器の開口部に固定される基部と、
この基部に設けられた前記容器内につながるシリンダ、このシリンダ内を変位するピストン、及びこのピストンをシリンダ内空間が大きくなる方向に付勢する付勢手段を備えたポンプ機構と、
前記基部に固定され、前記シリンダから延びる液剤吐出用のノズルと、
このノズルの上方に位置し、かつ、前記ピストンの端部に接する前記ポンプ機構を作動させるレバーとを具備してなり、
前記ノズルとレバーとに指を掛けて該指によって該レバーに力を加えて該レバーを操作できるよう該ノズルと該レバーとが構成されていて、該レバーの操作により前記ピストンをシリンダ空間内が小さくなる方向に押圧し、前記シリンダ内に蓄えられた液剤が前記ノズルから吐出されるようにしたことを特徴とする吐出装置によって達成される。
中でも、上記の吐出装置において、レバーを押し下げられるように片方の手の親指を該レバーに掛けた場合に該片方の手の親指以外の指でノズルを握ることができるように該ノズルの上方に該レバーが位置するよう設けられている吐出措置によって達成される。
によって達成される
【０００８】
すなわち、本発明では、ノズルを、例えば容器に対して不動であるように固定し、親指のレバー操作だけでポンプ機構を作動できるように構成したから、ノズル下方に位置させた片方の手だけで、その四指部（手の親指及び手の甲を除いた部分の総称であって、液剤を受ける指の本数と直接の関係はない。例えば、中指、薬指の二つでも良い）に液剤を供給することが可能となる。つまり、片手だけで、液剤の吐出及び受け取りが可能となるから、使い勝手に優れており、特に片手が使用できない場合でも支障がない。しかも、レバー操作に力を無理して加えるような大きな動作を強いられることがなく、親指でレバーを簡単に押し下げることができる。この結果、簡単な操作で液剤を吐出させることができ、操作性に優れる。
【０００９】
尚、上記吐出装置において、容器とポンプ機構のシリンダとの間には、前記容器側からシリンダ側へのみ通過が可能な第１の逆止弁が設けられ、かつ、前記ノズルの先端側には、内部側から外部側へのみ通過が可能な第２の逆止弁が設けられることが好ましい。すなわち、こうした位置に逆止弁を設けることで、効率良く液剤の逆流や空気の吸い込みを防止でき、装置の作動が確実なものとなる。
【００１０】
又、ピストンはカップ状のものであって、開口が上方側となるようシリンダに組み付けられてなることが好ましい。つまり、開口が下方側となるようシリンダに組み付けた場合には、ピストン内の空間にも液剤が溜まり、実際のシリンダ内容積が増大することになるので、使用開始に先立って行われるポンピングの回数が多くなる。これに対して開口を上方側とした場合には、ピストン内の空間に液剤が溜まらず、ポンピングを余分に行う必要がない。
【００１１】
又、スリットが形成された弾性材がノズル口に設けられてなることが好ましい。これによって、液剤として流動性の高いものが用いられたとしても、ノズル内の残液が端部から垂れ落ちることがなく、液切れ性が良好なものとなる。そして、液剤の吐出後、開口は素早く自然に閉塞するので、ノズル口付近での水分蒸発が抑止され、固化しやすい液剤を使用した場合であっても詰まりが起き難く、長期間にわたって液剤を安定供給することができる。
【００１２】
【発明の実施の形態】
図１〜図４は本発明に係る吐出装置の一実施形態を示すもので、図１は吐出装置の断面図、図２はノズル口に設けられた弾性材の変形状態を示す断面図、図３及び図４は吐出装置の使用状態を示す断面図である。
各図中、１は石鹸液などの液剤が充填された容器Ｂの開口部に螺着する基部（ジョイント部）、２は容器Ｂから吸い上げられた液剤を蓄えるシリンダ部、３はシリンダ部２から延びるノズル部、４はレバー５が回動自在に連結された支柱である。ノズル部３とレバー５との位置関係や寸法は、図３や図４に示す如くのものであり、後述するように手の四指部をノズル部３の下方に位置させた時、親指の腹がレバー５の端部に当たり、親指によって操作できるようになっている。すなわち、片手でレバー５の操作をする際、掌がノズル部３に位置するようにレバー５とノズル部３とが構成されている。
【００１３】
尚、本実施形態では、基部１、シリンダ部２、ノズル部３及び支柱４を一体成形によって構成したが、勿論、これらは別部材であっても良い。
６はシリンダ部２内を上下に往復動するピストンであって、コイルスプリング７によって上方に付勢されている。このカップ状のピストン６は開口が上方側となるよう設けられており、その内部空間に余分な液剤が溜まらないようになっている。すなわち、シリンダ部２内には無駄な空間が存在しないので、使用開始に先立って行われるポンピングの回数は少なくて良い。
【００１４】
ピストン６の周囲にはシリンダ部２の内周面に密着するフランジ６ａが形成されており、気密性を保持して往復動できるようになっている。又、ピストン６の上端には、レバー５の略中央に設けた凸部（作用点）５ａが当接しており、端部（力点）５ｂに加えた力を増大させてピストン６に伝達するよう構成している。８は液剤を容器Ｂ内から吸い上げるチューブであり、このチューブ８の上端とシリンダ部２との間には、逆止弁（三点支持弁）９が介在している。この逆止弁９は下方から液圧が作用する時（液剤をシリンダ部２内に吸い上げる時）にのみ開いて液剤を通過させるようになっている。逆に、上方から液圧が作用する場合には、閉じたままの状態が維持されるので、液剤は通過できず、容器Ｂに逆流することがない。
【００１５】
ノズル部３の先端側にも、逆止弁９と同じ働きをする逆止弁１０が設けられている。この逆止弁１０は、図１で右方向から液圧が作用する時（液剤を吐出させる時）にのみ開いて液剤を通過させるようになっている。又、シリンダ部２内の負圧によって生じる逆方向に圧に対しては、閉じたままの状態が維持され、空気の吸い込みが生じない。
【００１６】
１１はエラストマなどの材料からなる弾性弁、１２は弾性弁１１をノズル３の先端に固定するキャップである。弾性弁１１は、一方向（図２で右側）から作用する液圧によってのみ、図２に示す如く変形する。この状態では、通常、密着しているスリット１１ａが開いて、液剤の通過が可能となる。液圧が作用しなくなると、弁自身の復元力で元の形状に戻り、液剤を遮断する。従って、液切れが良好で、ノズル部３の先端から液垂れが起きない。又、長期間使用しても液がノズル部３の先端で固化することがなく、詰まりが起き難い。従って、液剤の吐出方向性が悪化したりせず、安定した吐出能力が維持される。
【００１７】
上記の如く構成された吐出装置を使用する際には、図３に示す如く、四指部をノズル部３の下方に位置させると共に、親指をレバー５の端部５ｂに掛ける。
そして、図４に示す如く、レバー５に軽く力を加えて押し下げると、ピストン６はコイルスプリング７の弾撥力に抗して降下し、液圧が生じる。ここで、シリンダ部２とチューブ８との間には逆止弁９が存在するから、液剤は容器Ｂに戻らない。従って、シリンダ部２内から排出されたピストン６の降下体積に相当する量の液剤は、逆止弁１０及び弾性弁１１を経てノズル部３の下方にある四指部上に吐出する。
【００１８】
液剤を受け取った後、親指をレバー５から離すと、コイルスプリング７の弾撥力によって、ピストン６はレバー５を押し上げながら上昇する。この際、シリンダ部２内に生じる負圧によって容器Ｂ内の液剤は逆止弁９を通過して、シリンダ部２内に吸い上げられる。一方、ノズル部３側からは、逆止弁１０及び弾性弁１１によって空気流入が防止されるので、シリンダ部２内にはピストン６の上昇体積分だけ確実に液剤が溜まり、再び吐出可能となる。
【００１９】
このように本発明の吐出装置では、片手だけで、液剤の吐出及び受け取りが可能であるから、使い勝手に優れており、特に何らかの事情で片手しか使用できない場合にも支障がない。しかも、無理な動作を強いられることもないので、操作が容易である。
【００２０】
【発明の効果】
本発明によれば、片手で液剤の吐出及び受け取りが可能であって、しかも操作が容易である。
【図面の簡単な説明】
【図１】本発明の吐出装置の断面図である。
【図２】ノズル口に設けられた弾性材の変形状態を示す断面図である。
【図３】吐出装置の使用状態を示す断面図である。
【図４】吐出装置の使用状態を示す断面図である。
【図５】従来装置の側面図である。
【図６】他の従来装置の使用状態を示す側面図である。
【符号の説明】
１            基部
２            シリンダ部
３            ノズル部
５            レバー
６            ピストン
７            コイルスプリング
９，１０      逆止弁（三点支持弁）
１１          弾性弁
【図１】
0003546976.tif 000002
【図２】
0003546976.tif 000003
【図３】
0003546976.tif 000004
【図４】
0003546976.tif 000005
【図５】
0003546976.tif 000006
【図６】
0003546976.tif 000007